(57)【特許請求の範囲】
【請求項１】
携帯電話のユーザーが携帯電話のバッテリー販売用自動販売機を利用することで携帯電話のバッテリーの再利用を可能にする携帯電話用バッテリーリサイクルシステムであって、
前記バッテリーを製造するバッテリー製造メーカーと前記携帯電話を製造した携帯電話製造メーカーとの間で、通信回線を経由して、バッテリーの供給に関する情報を送受信するための手段と、
前記携帯電話製造メーカーと携帯電話用バッテリー販売用自動販売機メーカーとの間で、通信回線を経由して、バッテリーの情報を送受信するための手段と、
前記携帯電話用バッテリー販売用自動販売機メーカーと携帯用バッテリー販売用自動販売機を管理する管理会社との間で、通信回線を経由して、携帯電話用バッテリー販売用自動販売機の供給の情報を送受信するための手段と
を備え、
前記携帯電話用バッテリー販売用自動販売機は、
保有している提供対象バッテリーの中より前記ユーザーが希望するバッテリーを提供するための手段と、
前記ユーザーが投入したバッテリーの品質良否を確認するための品質管理手段と、
前記ユーザーに投入されて前記品質が良と確認されたバッテリーを充電して前記提供対象バッテリーとするための手段と
を備える
ことを特徴とする携帯電話用バッテリーリサイクルシステム。
【請求項２】
ユーザーが所有する携帯電話を製造した携帯電話製造メーカーに配置されて通信回線に接続された第１のサーバと、
前記携帯電話のバッテリーを製造するバッテリー製造メーカーに配置されて前記通信回線に接続された第２のサーバと、
前記バッテリーを販売する自動販売機を製造する自動販売機メーカーに配置されて前記通信回線に接続された第３のサーバと、
前記自動販売機を管理する管理会社に配置されて前記通信回線に接続された第４のサーバと、
前記自動販売機に内蔵されて前記通信回線に接続する端末装置と
から構成され、
前記自動販売機は、
保有している提供対象バッテリーの中より前記ユーザーが希望するバッテリーを提供するための手段と、
前記ユーザーが投入したバッテリーの品質の良否を前記端末装置が受信した情報をもとに確認するための品質管理手段と、
前記ユーザーに投入されて前記品質が良と確認されたバッテリーを充電して前記提供対象バッテリーとするための手段と
を備え、
前記第１のサーバ及び前記第４のサーバと前記第２のサーバとの間で前記バッテリーの供給に関する情報を送受信し、
前記第１のサーバと前記第３のサーバとの間で前記バッテリーに関する情報を送受信し、
前記第３のサーバと前記第４のサーバとの間で前記自動販売機及び前記バッテリーに関する情報を送受信し、
前記第４のサーバは、前記端末装置に対して前記前記バッテリーに関する情報に含まれる情報を送出する
ことを特徴とする携帯電話用バッテリーのリサイクルシステム。
【請求項３】
請求項１または２記載の携帯電話用バッテリーのリサイクルシステムにおいて、
前記バッテリー販売用自動販売機は、
バッテリー購入ボタンが押下されたかを判断するための手段と、
交換バッテリーが有るか否か表示するための第１の表示手段と、
前記第１の表示手段で交換バッテリーが有ると表示された場合にバッテリーが投入されると、充電された状態で用意されているバッテリーの種類を表示するための第２の表示手段と、
バッテリー選択ボタンが押下されると、選択されたバッテリーが提供される提供手段と、
前記品質管理手段により品質が良と確認されたバッテリーを充電する充電手段と、
前記第１の表示手段で交換バッテリーがないと表示された場合に、すでに用意され充電されているバッテリーの種類を表示し、バッテリー選択ボタンが押下されたときに選択されたバッテリーを提供するための提供手段と
を備えたことを特徴とする携帯電話用バッテリーのリサイクルシステム。
【請求項４】
請求項１〜３いずれか１項に記載の携帯電話用バッテリーのリサイクルシステムにおいて、
前記携帯電話はＧＰＳ機能を備え、
前記携帯電話より前記ＧＰＳ機能により検出した前記携帯電話の位置情報を前記第４のサーバに送出し、
前記位置情報を受け付けた前記第４のサーバは、前記位置情報に示される位置に近い前記自動販売機の位置情報を前記携帯電話に送出する
ことを特徴とする携帯電話用バッテリーのリサイクルシステム。
【請求項５】
ユーザーが所有する携帯電話を製造した携帯電話製造メーカーに配置されて通信回線に接続された第１のサーバと、
前記携帯電話のバッテリーを製造するバッテリー製造メーカーに配置されて前記通信回線に接続された第２のサーバと、
前記バッテリーの販売を管理する管理会社に配置されて前記通信回線に接続された第３のサーバと、
ユーザーに提供可能で充電された提供対象バッテリーを備えた販売店舗に配置されて前記通信回線に接続された端末装置と
から構成され、
前記第１のサーバ及び前記第３のサーバと前記第２のサーバとの間で前記バッテリーの供給に関する情報を送受信し、
前記第１のサーバと前記第３のサーバとの間で前記バッテリーに関する情報を送受信し、
前記第３のサーバは、前記端末装置に対して前記前記バッテリーに関する情報に含まれる情報を送出する
ことを特徴とする携帯電話用バッテリーのリサイクルシステム。
【請求項６】
請求項５に記載の携帯電話用バッテリーのリサイクルシステムにおいて、
前記携帯電話はＧＰＳ機能を備え、
前記携帯電話より前記ＧＰＳ機能により検出した前記携帯電話の位置情報を前記第３のサーバに送出し、
前記位置情報を受け付けた前記第３のサーバは、前記位置情報に示される位置に近い前記自動販売機の位置情報を前記携帯電話に送出する
ことを特徴とする携帯電話用バッテリーのリサイクルシステム。
【発明の詳細な説明】
【０００１】
【発明の属する技術分野】
本発明は、携帯電話用バッテリーの販売を行うと共に、バッテリーのリサイクルを行う携帯電話のバッテリーリサイクルシステムに関する。
【０００２】
【従来の技術】
携帯電話装置は、バッテリー（二次電池）を電力源として動作している。このような携帯電話を音声の待ち受けや通話だけに使用する場合には、バッテリー寿命が問題となることは少ない。ところで、音声通話に加えてデータ通信の機能などを有する多機能の携帯電話では、インターネットに接続してブラウザによるホームページの閲覧や、音楽の再生処理及び画像処理またはゲームなど行えるようになっている。このような多機能の携帯電話では、各機能を利用すると、バッテリー使用可能時間が短くなる。
【０００３】
前述したように、携帯電話はバッテリーを動力源として動作しているため、バッテリーの供給電力が無くなると、携帯電話装置は動作をすることができなくなり、待ち受け，通話，データ通信などの全ての機能が使用できなくなる。このようなバッテリーの電力が無くなり携帯電話装置の機能が全て失われる状態になる状態を防止するためには、携帯電話装置のユーザーが、予備のバッテリー装置や充電器を携帯するなどの予防策を採ることが考えられる。
【０００４】
【発明が解決しようとする課題】
しかしながら、予備のバッテリー装置を携帯するためには、当然ながらユーザーにとってコストの面で負担になる。また、充電器を利用する場合においても、充電器に電力を供給する電源を確保する必要が有り、充電が必要なときにすぐに電源が確保できるとは限らない。また、仮に充電のための電源が確保できたとしても、充電のために時間を要する。
以上のように、バッテリーの充電切れによる携帯電話装置が利用できない状態の予防対策が、従来では充分にとることができないという問題が有った。
【０００５】
本発明は、以上のような問題点を解消するためになされたものであり、比較的に場所を選ばずに設置が可能であるバッテリーの販売システムと共に、携帯電話のユーザー、自動販売機メーカー、バッテリー製造メーカー、携帯電話製造メーカー及び自動販売機の設置管理を行う管理会社を含めて、バッテリーをリサイクルできるようにすることを目的とする。
【０００６】
【課題を解決するための手段】
本発明に係る携帯電話用バッテリーのリサイクルシステムは、携帯電話のユーザーが携帯電話のバッテリー販売用自動販売機を利用することで携帯電話のバッテリーの再利用を可能にする携帯電話用バッテリーリサイクルシステムであって、バッテリーを製造するバッテリー製造メーカーと携帯電話を製造した携帯電話製造メーカーとの間で、通信回線を経由して、バッテリーの供給に関する情報を送受信するための手段と、携帯電話製造メーカーと携帯電話用バッテリー販売用自動販売機メーカーとの間で、通信回線を経由して、バッテリーの情報を送受信するための手段と、携帯電話用バッテリー販売用自動販売機メーカーと携帯用バッテリー販売用自動販売機を管理する管理会社との間で、通信回線を経由して、携帯電話用バッテリー販売用自動販売機の供給の情報を送受信するための手段とを備え、携帯電話用バッテリー販売用自動販売機は、保有している提供対象バッテリーの中よりユーザーが希望するバッテリーを提供するための手段と、ユーザーが投入したバッテリーの品質良否を確認するための品質管理手段と、ユーザーに投入されて品質が良と確認されたバッテリーを充電して提供対象バッテリーとするための手段とを備えるものである。
このシステムによれば、ユーザーが投入したバッテリーの中で、品質が良とされたものがリサイクルされて再度提供対象のバッテリーとして用いられる。
【０００７】
また、本発明係る携帯電話用バッテリーのリサイクルシステムは、ユーザーが所有する携帯電話を製造した携帯電話製造メーカーに配置されて通信回線に接続された第１のサーバと、携帯電話のバッテリーを製造するバッテリー製造メーカーに配置されて通信回線に接続された第２のサーバと、バッテリーを販売する自動販売機を製造する自動販売機メーカーに配置されて通信回線に接続された第３のサーバと、自動販売機を管理する管理会社に配置されて通信回線に接続された第４のサーバと、自動販売機内に内蔵されて通信回線に接続する端末装置とから構成され、自動販売機は、保有している提供対象バッテリーの中よりユーザーが希望するバッテリーを提供するための手段と、ユーザーが投入したバッテリーの品質の良否を端末装置が受信した情報をもとに確認するための品質管理手段と、ユーザーに投入されて品質が良と確認されたバッテリーを充電して提供対象バッテリーとするための手段とを備え、第１のサーバ及び第４のサーバと第２のサーバとの間でバッテリーの供給に関する情報を送受信し、第１のサーバと第３のサーバとの間でバッテリーに関する情報を送受信し、第３のサーバと第４のサーバとの間で自動販売機及びバッテリーに関する情報を送受信し、第４のサーバは、端末装置に対してバッテリーに関する情報に含まれる情報を送出するようにしたものである。
このシステムによれば、ユーザーが投入したバッテリーの中で、端末装置が受信した情報をもとに品質が良とされたものがリサイクルされて再度提供対象のバッテリーとして用いられる。
【０００８】
上記携帯電話用バッテリーのリサイクルシステムにおいて、バッテリー販売用自動販売機は、バッテリー購入ボタンが押下されたかを判断するための手段と、交換バッテリーが有るか否か表示するための第１の表示手段と、第１の表示手段で交換バッテリーが有ると表示された場合にバッテリーが投入されると、充電された状態で用意されているバッテリーの種類を表示するための第２の表示手段と、バッテリー選択ボタンを押下されると、選択されたバッテリーが提供される提供手段と、品質管理手段により品質が良と確認されたバッテリーを充電する充電手段と、第１の表示手段で交換バッテリーがないと表示された場合に、すでに用意され充電されているバッテリーの種類を表示し、バッテリー選択ボタンが押下されたときに選択されたバッテリーを提供するための提供手段とを備える。
【０００９】
また、上記携帯電話用バッテリーのリサイクルシステムにおいて、携帯電話はＧＰＳ機能を備え、携帯電話よりＧＰＳ機能により検出した携帯電話の位置情報を第４のサーバに送出し、位置情報を受け付けた第４のサーバは、位置情報に示される位置に近い自動販売機の位置情報を携帯電話に送出するようにしてもよい。
【００１０】
本発明の他の形態に係る携帯電話用バッテリーのリサイクルシステムは、ユーザーが所有する携帯電話を製造した携帯電話製造メーカーに配置されて通信回線に接続された第１のサーバと、携帯電話のバッテリーを製造するバッテリー製造メーカーに配置されて通信回線に接続された第２のサーバと、バッテリーの販売を管理する管理会社に配置されて通信回線に接続された第３のサーバと、ユーザーに提供可能で充電された提供対象バッテリーを備えた販売店舗に配置されて通信回線に接続された端末装置とから構成され、第１のサーバ及び第３のサーバと第２のサーバとの間でバッテリーの供給に関する情報を送受信し、第１のサーバと第３のサーバとの間でバッテリーに関する情報を送受信し、第３のサーバは、端末装置に対してバッテリーに関する情報に含まれる情報を送出するようにしたものである。
このシステムによれば、販売店舗の端末装置が受信した情報をもとに、バッテリーがリサイクル可能かどうかの品質が判定される。
【００１１】
上記携帯電話用バッテリーのリサイクルシステムにおいて、携帯電話はＧＰＳ機能を備え、携帯電話よりＧＰＳ機能により検出した携帯電話の位置情報を第３のサーバに送出し、位置情報を受け付けた第３のサーバは、位置情報に示される位置に近い自動販売機の位置情報を携帯電話に送出するようにしてもよい。
【００１２】
【発明の実施の形態】
以下、本発明の実施の形態について図を参照して説明する。
図１は、本発明の実施の形態における携帯電話用バッテリーのリサイクルシステムの構成例を示す構成図である。本システムにおいては、携帯電話製造メーカー１と、携帯電話用バッテリーの自動販売機５を製造する自動販売機メーカー２と、携帯電話用バッテリーを製造するバッテリー製造メーカー３と、携帯電話用バッテリーの自動販売機５を管理する管理会社４とが、図示しないサーバ装置を各々備え、各サーバ装置同士が通信回線で接続されている。また、自動販売機５は、各サーバ装置と通信可能な状態で上記通信回線に接続されている。
【００１３】
図１に示すシステム構成において、バッテリー製造メーカー３は、携帯電話製造メーカー１に対して携帯電話用のバッテリーの供給をする（▲１▼）。携帯電話製造メーカー１は、自動販売機メーカーに対し上記バッテリーの形状等の情報を提供する（▲２▼）。自動販売機メーカー２は、携帯電話製造メーカー１より提供された情報に基づいてバッテリーの自動販売機５を製造し、管理会社４に提供する（▲３▼）。
【００１４】
管理会社４は、自動販売機５を所定の箇所に設置し、また、バッテリー製造メーカー３から供給された上記バッテリーを、自動販売機５に販売可能な状態に投入する。
以上のシステム構成により、携帯電話のユーザーが自動販売機５を利用することで、ユーザーにとっては、簡便にバッテリーを購入することが可能となり、また、バッテリーのリサイクル（再利用）が可能な状態となる。
【００１５】
携帯電話製造メーカー１、自動販売機メーカー２、バッテリー製造メーカー３及び管理会社４は、前述したように、各々通信回線を経由して結ばれており、情報の送受信が可能な状態になっている。例えば、バッテリー製造メーカー３と携帯電話製造メーカー１とは、各々通信回線を経由してバッテリーの供給に関する情報を送受信するための手段であるサーバ装置を備えている。また、携帯電話製造メーカー１と自動販売機メーカー２とは、各々通信回線を経由してバッテリーの情報を送受信するための手段であるサーバ装置を備えている。同様に、自動販売機メーカー２と管理会社４とのは、通信回線を経由して自動販売機５の情報を送受信するための手段であるサーバ装置を備えている。
【００１６】
つぎに図１に示すシステムの具体的な動作について説明する。バッテリー製造メーカー３は、携帯電話製造メーカー１に対してバッテリーを供給し（▲１▼）、同様に、自動販売機５を管理する管理会社４に対してもバッテリーを供給する（▲４▼）。携帯電話製造メーカー１は、例えば、新機種で使用するバッテリーの形状，種類などの情報を自動販売機メーカー２に提供し（▲２▼）、新しい携帯電話が市場に提供されると同時に、自動販売機５も新しい携帯電話に用いられるバッテリーに対応可能な状態にしておく。
【００１７】
自動販売機メーカー２は、携帯電話製造メーカー１から提供された新しい機種のバッテリーの情報を元に作った新しい自動販売機５を管理会社４に供給する（▲３▼）。管理会社４では、自動販売機５の設置及びバッテリーの管理を行う（▲５▼）。
ユーザーは、自動販売機５でバッテリーを購入する際に、今まで使用してしたバッテリーを自動販売機５に投入する。投入されたバッテリーは、自動販売機５の中で再び充電され、例えばつぎの販売に利用するなどのリサイクルに用いられる。従って、図１のシステムでは、ユーザーが自動販売機５を利用してバッテリーを購入することで、管理会社４が収益を得る。また、自動販売機メーカー２は、管理会社４に対し販売機を売ることで収益を得る。
【００１８】
また、バッテリー製造メーカー３は、従来通り携帯電話製造メーカー１にバッテリーを販売することで収益を得ることに加え、管理会社４に対してもバッテリーを販売することで収益を得る。また携帯電話製造メーカー１は、自動販売機メーカー２にバッテリー形状等の情報を提供することで収益を得る。なお、図１の携帯電話のバッテリーのリサイクルシステムは、通信回線で結ばれ情報を共有化することで、市場の要求にすばやく柔軟に対応することが可能となる。
【００１９】
つぎに、自動販売機５の動作について、図２のフローチャートを用いて説明する。まず、自動販売機５の操作面（不図示）に設けられているバッテリー購入ボタンが、例えばユーザーの操作などにより押されたことが検出されると（ステップＳ１）、ステップＳ２に進み、自動販売機５の表示面（不図示）に、交換対象のバッテリーの投入を促すメッセージの表示を行う。なお、ステップＳ１の判断において、自動販売機５に代金が投入されたことを検出したら、ユーザーにバッテリー購入の意志が有ると判断し、ステップＳ２に進むようにしてもよい。
【００２０】
上記メッセージの表示を行った後、交換対象のバッテリーが投入されると（ステップＳ３）、自動販売機５は、提供可能な充電されているバッテリーの種類をユーザーに表示する（ステップＳ４）。ユーザーによる選択の結果、自動販売機５の操作面（不図示）の所定のバッテリー選択ボタンが押下されと（ステップＳ５）、自動販売機５は、押下されたボタンに対応するバッテリーをユーザーに提供する（ステップＳ６）。
【００２１】
次いで、ステップＳ５で選択がされなかった場合も含め、上記ステップＳ６の後、自動販売機５は、投入されたバッテリーの充電回数を確認する（ステップＳ７）。充電回数を確認すると、自動販売機５は、確認された充電回数情報をもとに、投入されたバッテリーの再利用の不可を判断する（ステップＳ８）。例えば、バッテリーに充電回数表示機能を設けることで、上記ステップＳ７において自動販売機５がバッテリーの充電回数を確認することが可能となる。また、再利用可能の判断基準となる充電回数の限界値を、例えば、バッテリー製造メーカー３（図１）より、予め入手して自動販売機５に設定しておき、この設定されている限界値により、ステップＳ８の判断を行うようにすればよい。
【００２２】
ステップＳ８において、再利用可能なバッテリーだと判断された場合、ステップＳ１０に進み、自動販売機５は、投入されたバッテリーに充電を行う。一方、ステップＳ８において、再利用不可能と判断された場合、自動販売機５は、投入されたバッテリーを、自動販売機に内蔵しているバッテリー回収ボックス（不図示）に収容する（ステップＳ９）。バッテリー回収ボックスに収容されたバッテリーは、管理会社４（図１）の担当職員によって回収される。
【００２３】
なお、ステップＳ５の判断において、バッテリー選択ボタンが押下が検出さない場合、自動販売機５は、充電されているバッテリーの中にユーザーが希望とするバッテリーがないとみなし、バッテリーの提供動作は終了する。このように、ユーザーに対してバッテリーが提供されない場合、例えば、これ以前の段階で自動販売機５に投入されていた代金を返却するようにしてもよい。また、このような場合、自動販売機５で使用できるコインや割引チケットなどをユーザーに提供するなどし、ユーザーにとって販売機の利用価値を下げないようにする。
【００２４】
一方、ステップＳ３において、バッテリーが投入されない場合、ステップＳ１１に進み、自動販売機５は、提供可能な充電されているバッテリーの種類をユーザーに表示する（ステップＳ１１）。ユーザーによる選択の結果、自動販売機５の操作面（不図示）の所定のバッテリー選択ボタンが押下されと（ステップＳ１２）、自動販売機５は、押下されたボタンに対応するバッテリーをユーザーに提供する（ステップＳ１３）。
【００２５】
また、ステップＳ３からステップＳ１１〜１３に移行するような交換バッテリーが発生しない場合と、ステップＳ３からステップＳ４以降に進むような交換バッテリーが有る場合とで、バッテリー販売額を変え、交換バッテリーの有無によるユーザーへの不平等を低減するようにしてもよい。
【００２６】
なお、上述では、ステップＳ３で、交換対象のバッテリー投入の有無を判断してつぎの処理の分岐を行うようにしたが、これに限るものではない。例えば、ステップＳ２において交換バッテリーの有無を問うメッセージを表示し、次いで自動販売機５の操作面（不図示）に設けられている交換バッテリー有を選択するボタンの押下を検出し、交換バッテリー有の選択ボタンが押下されたら、ステップＳ３に進んでバッテリーの投入を検出し、検出されない場合ステップＳ１１以降に進むようにしてもよい。この場合、ステップＳ３の判断では、バッテリーの投入を待機する判断とする。
【００２７】
ところで、上述では、自動販売機によりバッテリーのリサイクルを行うようにしたが、これらをコンビニエンスストアで行うようにしてもよい。例えば、図３に示すように、本システムにおいては、携帯電話製造メータ３１と、携帯電話用バッテリーを製造するバッテリー製造メーカー３３と、コンビニエンスストア３５に対する充電器の提供などの管理を行う管理会社３４とが、図示しないサーバ装置を各々備え、各サーバ装置同士が通信回線で接続されている。
【００２８】
図３に示すシステム構成において、バッテリー製造メーカー３３は、携帯電話製造メーカー３１に対して携帯電話用のバッテリーを供給する（▲１▼）。携帯電話製造メーカー３１は、管理会社３４に対して充電器を供給する（▲２▼）。また、バッテリー製造メーカー３３は、管理会社３４に対してバッテリーを供給する（▲３▼）。
【００２９】
コンビニエンスストア３５では、店員が、携帯電話のユーザーからリサイクル対象のバッテリーを受理し、充電済みのバッテリーを上記ユーザーに提供する。この際に提供するバッテリーの品質は、店員が確認する。例えば、バッテリーに充電回数表示機能を設け、店員は、この表示を目視することでバッテリーの充電回数を確認し、確認した充電回数情報をもとに、バッテリーの再利用の不可を判断する。このとき、再利用可能の判断基準となる充電回数の限界値は、例えば、バッテリー製造メーカー３３（図３）より、予め連絡されて認知していればよい。
以上のことにより、自動販売機の設置場所の問題が有った場合の対策もとれ、高い管理体制でバッテリーのリサイクルを行うことが可能となる。
【００３０】
なお、携帯電話にＧＰＳ（Global Positioning System）などの機能が付加されている場合、つぎに示すようなサービスを提供することも可能となる。例えば、携帯電話のユーザーが、携帯電話が有しているインターネット接続機能を用い、上記ＧＰＳ機能により自身の位置を検出してこの情報を管理会社のサーバに送出してきたら、管理会社のサーバより上記利用者の位置より最も近い自動販売機の位置情報を、上記携帯電話に送出するようにしてもよい。
【００３１】
また、バッテリーのリサイクルを実現する上で、ユーザーが充電済みのバッテリーを購入する箇所は、コンビニエンスストアに限らず、ガソリン販売店や携帯電話販売店，また、ファーストフード販売店などの店舗であってもよい。
また、上述では、リサイクルされるバッテリーの品質管理について、充電回数を確認するようにしたが、これに限るものではない。例えば、バッテリーの容量を測定し、この測定値があるしきい値を超えていないものは品質が劣化しているものと見なし、リサイクルバッテリーの対象外とするようにしてもよい。
【００３２】
【発明の効果】
以上説明したように、本発明は、自動販売機やコンビニエンスストアなどの販売店において、ユーザーの携帯電話で私用されていたバッテリーを回収し、充電された提供対象バッテリーをユーザーに提供するようにし、また、回収したバッテリーの品質を確認してリサイクル可能な品質が良と判定されたものを充電し、提供対象バッテリーとして再利用するものとした。従って、本発明によれば、比較的に場所を選ばずに設置が可能であるバッテリーの販売システムと共に、携帯電話のユーザー、自動販売機メーカー、バッテリー製造メーカー、携帯電話製造メーカー及び自動販売機の設置管理を行う管理会社を含めて、バッテリーをリサイクルできるようになるというすぐれた効果が得られる。
【図面の簡単な説明】
【図１】  本発明の実施の形態における携帯電話用バッテリーのリサイクルシステムの構成例を示す構成図である。
【図２】  自動販売機５の動作を示すフローチャートである。
【図３】  本発明の他の形態における携帯電話用バッテリーのリサイクルシステムの構成例を示す構成図である。
【符号の説明】
１…携帯電話製造メーカー、２…自動販売機メーカー、３…バッテリー製造メーカー、４…管理会社、５…自動販売機。
【図１】
0003686872.tif 000002
【図２】
0003686872.tif 000003
【図３】
0003686872.tif 000004